(57)【要約】【課題】通信ケーブルモジュールにおいて、伝送方式を自動で検出してメタルケーブルの周波数特性を調整する。【解決手段】制御回路１４は、検出回路５００の検出結果に応じてテーブル１５に格納された設定値を読み出し、この設定値に基づいて周波数特性可変線形アンプ５の周波数特性に関する設定を変更する。【選択図】図４
2019213074.tif 000002
【特許請求の範囲】
【請求項１】
メタルケーブルの出力信号を増幅して前記メタルケーブルの伝送損失を補償し、前記メタルケーブルの周波数特性を可変に調整可能な周波数特性可変線形アンプと、
前記周波数特性可変線形アンプに並列に接続され、前記周波数特性可変線形アンプへの入力信号のパワーを検出する検出回路と、
前記検出回路の検出結果を判定する制御回路と、
前記周波数特性可変線形アンプの前記周波数特性に関する設定値を複数格納するテーブルと、を有し、
前記制御回路は、
前記検出回路の前記検出結果に応じて前記テーブルに格納された前記設定値を読み出し、
前記設定値に基づいて前記周波数特性可変線形アンプの前記周波数特性に関する設定を変更することを特徴とする通信ケーブルモジュール。
【請求項２】
前記テーブルは、
前記入力信号のパワーの平均パワーとピークパワーのパワー比に応じて、前記周波数特性に関する設定値を格納し、
前記制御回路は、
前記パワー比を算出して、算出した前記パワー比に応じて前記テーブルに格納された前記設定値を読み出すことを特徴とする請求項１に記載の通信ケーブルモジュール。
【請求項３】
前記テーブルは、
前記設定値として、２値伝送用設定値と４値伝送用設定値と８値伝送用設定値を格納し、
前記制御回路は、
前記パワー比が２．５ｄＢ以下の場合に、前記２値伝送用設定値を前記テーブルから読み出し、前記２値伝送用設定値に基づいて前記周波数特性可変線形アンプの前記周波数特性に関する設定を変更し、
前記パワー比が２．５ｄＢより大きく３．７ｄＢ以下の場合に、前記４値伝送用設定値を前記テーブルから読み出し、前記４値伝送用設定値に基づいて前記周波数特性可変線形アンプの前記周波数特性に関する設定を変更し、
前記パワー比が３．７ｄＢより大きい場合に、前記８値伝送用設定値を前記テーブルから読み出し、前記８値伝送用設定値に基づいて前記周波数特性可変線形アンプの前記周波数特性に関する設定を変更することを特徴とする請求項２に記載の通信ケーブルモジュール。
【請求項４】
前記検出回路は、
前記入力信号のパワーの前記平均パワーを検出する平均パワー検出回路と、
前記入力信号のパワーの前記ピークパワーを検出するピークパワー検出回路と、を有し、
前記制御回路は、
前記平均パワーと前記ピークパワーの前記パワー比を算出し、算出した前記パワー比に応じて前記テーブルに格納された前記設定値を読み出すことを特徴とする請求項２に記載の通信ケーブルモジュール。
【請求項５】
前記テーブルは、
前記設定値として、少なくとも２値伝送用設定値と４値伝送用設定値とを格納し、
前記制御回路は、
前記パワー比が２．５ｄＢ以下の場合に、前記２値伝送用設定値を前記テーブルから読み出し、前記２値伝送用設定値に基づいて前記周波数特性可変線形アンプの前記周波数特性に関する設定を変更し、
前記パワー比が２．５ｄＢより大きい場合に、前記４値伝送用設定値を前記テーブルから読み出し、前記４値伝送用設定値に基づいて前記周波数特性可変線形アンプの前記周波数特性に関する設定を変更することを特徴とする請求項４に記載の通信ケーブルモジュール。
【請求項６】
前記テーブルは、
前記設定値として、２値伝送用設定値と４値伝送用設定値と８値伝送用設定値を格納し、
前記制御回路は、
前記パワー比が２．５ｄＢ以下の場合に、前記２値伝送用設定値を前記テーブルから読み出し、前記２値伝送用設定値に基づいて前記周波数特性可変線形アンプの前記周波数特性に関する設定を変更し、
前記パワー比が２．５ｄＢより大きく３．７ｄＢ以下の場合に、前記４値伝送用設定値を前記テーブルから読み出し、前記４値伝送用設定値に基づいて前記周波数特性可変線形アンプの前記周波数特性に関する設定を変更し、
前記パワー比が３．７ｄＢより大きい場合に、前記８値伝送用設定値を前記テーブルから読み出し、前記８値伝送用設定値に基づいて前記周波数特性可変線形アンプの前記周波数特性に関する設定を変更することを特徴とする請求項４に記載の通信ケーブルモジュール。
【請求項７】
前記制御回路は、
前記設定値に基づいて前記周波数特性可変線形アンプの設定を変更した後に、前記平均パワーがゼロになった場合に、
前記平均パワーと前記ピークパワーの前記パワー比を再度算出し、算出した前記パワー比に応じて前記テーブルに格納された前記設定値を再度読み出し、  前記設定値に基づいて前記周波数特性可変線形アンプの前記周波数特性に関する設定を再度変更することを特徴とする請求項４に記載の通信ケーブルモジュール。
【請求項８】
前記平均パワー検出回路は、
前記入力信号としての差動入力信号の一方の符号を反転する符号反転回路と、
前記差動入力信号の他方と前記符号反転回路の出力を乗算する乗算回路と、
前記乗算回路出力の低周波成分を透過する第１のローパスフィルタと、
前記第１のローパスフィルタから出力されたアナログ信号をデジタル信号に変換する第１のアナログデジタルコンバータと、
を有することを特徴とする請求項４に記載の通信ケーブルモジュール。
【請求項９】
前記ピークパワー検出回路は、
前記入力信号の低周波成分を透過する第２のローパスフィルタと、
前記第２のローパスフィルタから出力されたアナログ信号をデジタル信号に変換する第２のアナログデジタルコンバータと、
を有することを特徴とする請求項４に記載の通信ケーブルモジュール。
【請求項１０】
前記周波数特性可変線形アンプは、
前記周波数特性を可変に調整可能な複数の線形アンプを有し、
前記制御回路は、
前記設定値に基づいて、複数の前記線形アンプの前記周波数特性に関する設定を変更することを特徴とする請求項４に記載の通信ケーブルモジュール。
【発明の詳細な説明】
【技術分野】
【０００１】
本発明は、通信ケーブルモジュールに関する。
【背景技術】
【０００２】
近年、クラウドサービスやビッグデータ処理の進展により、情報装置における通信トラフィック量は増加し続けており、さらなる高速大容量化が求められている。急増するデータトラフィックに対応するためには、データセンタ内のサーバ、スイッチ等の情報装置間を接続する信号伝送ケーブルの高速化及び大容量化が重要である。
【０００３】
この信号伝送ケーブルとして、メタルケーブルは光ケーブルに比べて低コストというメリットがある。しかし、通信速度の高速化に伴い伝送損失が増加するため、１０ｍ以上の信号伝送は困難である。
そこで、伝送損失を補償する周波数特性可変線形アンプ回路を内蔵したアクティブカッパーケーブルが提案されている。
【０００４】
ところで、情報装置間の信号伝送に適用されていた伝送方式は、２値（１ｂｉｔ／ｓｙｍｂｏｌ）のＮＲＺ（Ｎｏｎ  Ｒｅｔｕｒｎ  ｔｏ  Ｚｅｒｏ）と呼ばれる方式であり、これまで１ｂｉｔの時間幅を短縮することで高速化が実現されてきた。
【０００５】
しかし、１ｂｉｔの時間幅を短縮すると、利用する周波数帯域が拡大するため、基板やケーブルの伝送損失増加が問題となり、ホストＩＣ（Ｈｏｓｔ  ＩＣ）のさらなる高周波動作が必要となる。
【０００６】
そこで、近年、周波数帯域を増加させることなく伝送速度を向上可能な多値変調方式が採用され、現在ＩＥＥＥ８０２．３ｃｄやＩＥＥＥ８０２．３ｂｓでは、４値（２ｂｉｔ／ｓｙｍｂｏｌ）のＰＡＭ４（４−ｌｅｖｅｌ  Ｐｕｌｓｅ  Ａｍｐｌｉｔｕｄｅ  Ｍｏｄｕｌａｔｉｏｎ）が採用された。
【０００７】
ＰＡＭ４を採用することで伝送速度の高速化を実現できるが、情報装置間の伝送のすべてがＰＡＭ４に置き換わる訳ではなく、従来型のＮＲＺも共存する。そのため、メタルケーブルもＰＡＭ４とＮＲＺの両伝送方式への対応が必要になる。
【０００８】
しかし、ＮＲＺとＰＡＭ４ではＨｏｓｔ  ＩＣの駆動条件が異なるため、メタルケーブルの周波数特性を固定してしまうと、一方の伝送方式では信号品質を改善できるが、もう一方では信号品質が劣化する等の問題が発生することが予想される。
【０００９】
通信ケーブルモジュールにおける周波数特性変更に関する技術として、特許文献１、２がある。特許文献１は、環境温度によるメタルケーブルの周波数特性の変化を補償する。具体的には、メタルケーブル両端に設けられたコネクタ内に温度検知器が搭載されており、メタルケーブルの温度変化を検出する。その検出結果に応じて同じくコネクタに内蔵された補償回路の特性を変化させ、メタルケーブルの温度変化による周波数特性の変化を補償する。
【００１０】
特許文献２は、無線信号の入力電圧レベルを検出し、検出した信号レベルに応じて信号を補正する。
【先行技術文献】
【特許文献】
【００１１】
【特許文献１】特開２０１５−１０９４９４号公報
【特許文献２】特開２００４−２２８８３６号公報
【発明の概要】
【発明が解決しようとする課題】
【００１２】
上述のように、多値伝送（例えばＰＡＭ４）と従来の２値（ＮＲＺ）伝送が共存する情報装置間の伝送において、メタルケーブルの周波数特性が固定されていると、伝送方式によって信号品質が劣化する恐れがある。そこで、伝送方式を自動で検出してメタルケーブルの周波数特性を調整することが必要となる。
【００１３】
特許文献１、２では、環境温度変化や信号レベルの検出誤差を補正しているが、伝送方式を自動で検出してメタルケーブルの周波数特性を調整することについては考慮されていない。
【００１４】
本発明の目的は、通信ケーブルモジュールにおいて、伝送方式を自動で検出してメタルケーブルの周波数特性を調整することにある。
【課題を解決するための手段】
【００１５】
本発明の一態様の通信ケーブルモジュールは、メタルケーブルの出力信号を増幅して前記メタルケーブルの伝送損失を補償し、前記メタルケーブルの周波数特性を可変に調整可能な周波数特性可変線形アンプと、前記周波数特性可変線形アンプに並列に接続され、前記周波数特性可変線形アンプへの入力信号のパワーを検出する検出回路と、前記検出回路の検出結果を判定する制御回路と、
前記周波数特性可変線形アンプの前記周波数特性に関する設定値を複数格納するテーブルと、を有し、前記制御回路は、前記検出回路の前記検出結果に応じて前記テーブルに格納された前記設定値を読み出し、前記設定値に基づいて前記周波数特性可変線形アンプの前記周波数特性に関する設定を変更することを特徴とする。
【発明の効果】
【００１６】
本発明の一態様によれば、通信ケーブルモジュールにおいて、伝送方式を自動で検出してメタルケーブルの周波数特性を調整することができる。
【図面の簡単な説明】
【００１７】
【図１】通信ケーブルモジュールの概略図である。
【図２】通信ケーブルモジュールの情報装置への適用例を示す図である。
【図３Ａ】２値伝送（ＮＲＺ）のアイ波形を示す図である。
【図３Ｂ】４値伝送（ＰＡＭ４）のアイ波形を示す図である。
【図３Ｃ】８値伝送（ＰＡＭ８）のアイ波形を示す図である。
【図４】実施例１の通信ケーブルモジュールの構成を示すブロック図である。
【図５】テーブルの内容を示す図である。
【図６】実施例１の通信ケーブルモジュールの動作を示すフローチャートである。
【図７】実施例１の通信ケーブルモジュールの動作を示すフローチャートである。
【図８】実施例２の通信ケーブルモジュールの構成を示すブロック図である。
【図９】実施例２の通信ケーブルモジュールの動作を示すフローチャートである。
【図１０】実施例２の通信ケーブルモジュールの動作を示すフローチャートである。
【図１１】実施例３の通信ケーブルモジュールの構成を示すブロック図である。
【図１２】実施例３の通信ケーブルモジュールの動作を示すフローチャートである。
【図１３】実施例４の通信ケーブルモジュールの動作を示すフローチャートである。
【発明を実施するための形態】
【００１８】
以下、図面を用いて、実施例について説明する。
【実施例１】
【００１９】
最初に、図１を参照して、伝送損失を補償する周波数特性可変線形アンプ回路を内蔵したアクティブカッパーケーブルの構成について説明する。
図１に示すように、アクティブカッパーケーブル３は、パドル基板４、周波数特性可変線形アンプ（周波数特性可変線形アンプＩＣ）５、メタルケーブル６を有する。周波数特性可変線形アンプ５は、パドル基板４上に配置され、パドル基板４同士はメタルケーブル６で接続される。また、パドル基板４上には、外部との信号入出力用の電極パッド７が配置されている。
【００２０】
図２を参照して、アクティブカッパーケーブル３の情報装置への適用例について説明する。
図２に示すように、入力信号は、ホスト基板（Ｈｏｓｔ基板）８に搭載されたホストＩＣ（Ｈｏｓｔ  ＩＣ）９から信号配線１０を通過し、電気コネクタ１１を介してアクティブカッパーケーブル３に入力される。この入力信号は、電極パッド７からパドル基板４およびメタルケーブル６を通過して周波数特性可変線形アンプ５に入力される。
【００２１】
このとき、入力信号は、パドル基板４とメタルケーブル６での損失によって高周波成分が低下するため信号品質が劣化する。そこで、周波数特性可変線形アンプ５でパドル基板４とメタルケーブル６で損失した高周波成分を補償することにより、信号品質の改善を行い長距離のメタルケーブル伝送を実現する。
【００２２】
周波数特性可変線形アンプ５の出力信号は、パドル基板４、電極パッド７、電気コネクタ１１および信号配線１０を通過してＨｏｓｔ  ＩＣ９に入力される。
【００２３】
図２のＨｏｓｔ  ＩＣ９からの出力信号は、図３Ａに示すような２値（１ｂｉｔ／ｓｙｍｂｏｌ）のＮＲＺ（Ｎｏｎ  Ｒｅｔｕｒｎ  ｔｏ  Ｚｅｒｏ）と呼ばれる方式であり、これまで１ｂｉｔの時間幅を短縮することで高速化が実現されてきた。しかし、１ｂｉｔの時間幅を短縮すると、利用する周波数帯域が拡大するため、基板やケーブルの伝送損失増加が問題となり、ＩＣのさらなる高周波動作が必要となる。
【００２４】
そこで、近年、周波数帯域を増加させることなく伝送速度を向上可能な多値変調方式が採用さている。現在ＩＥＥＥ８０２．３ｃｄやＩＥＥＥ８０２．３ｂｓでは、図３Ｂに示すような４値（２ｂｉｔ／ｓｙｍｂｏｌ）のＰＡＭ４（４−ｌｅｖｅｌ  Ｐｕｌｓｅ  Ａｍｐｌｉｔｕｄｅ  Ｍｏｄｕｌａｔｉｏｎ）が採用された。図３Ｂに示すように、ＰＡＭ４は信号１ｂｉｔの時間幅を変更することなく振幅を２値から４値にすることで、ＮＲＺと同じ周波数帯域の利用で伝送速度を２倍に向上できる。
【００２５】
また、信号伝送速度のさらなる高速化のために、図３Ｃに示すような８値（３ｂｉｔ／ｓｙｍｂｏｌ）のＰＡＭ８（８−ｌｅｖｅｌ  Ｐｕｌｓｅ  Ａｍｐｌｉｔｕｄｅ  Ｍｏｄｕｌａｔｉｏｎ）の検討も進められている。
【００２６】
ＰＡＭ４やＰＡＭ８を採用することで伝送速度の高速化を実現できるが、Ｈｏｓｔ  ＩＣ９からの出力信号のすべてがＰＡＭ４やＰＡＭ８に置き換わる訳ではなく、従来のＮＲＺも共存する。そのため、アクティブカッパーケーブル３もＰＡＭ４とＮＲＺ、さらにはＰＡＭ８への対応が必要になる。
【００２７】
しかし、伝送方式毎にＨｏｓｔ  ＩＣ９の駆動条件が異なるため、アクティブカッパーケーブル３の周波数特性を固定してしまうと、ある伝送方式では信号品質を改善できるが、他の伝送方式では信号品質が劣化する等の問題が発生することが予想される。
【００２８】
そのため、アクティブカッパーケーブル３が伝送方式を自動で認識し、伝送方式に応じてアクティブカッパーケーブル３の周波数特性を変更（調整）することが必要になる。
【００２９】
実施例１では、伝送方式を自動で検出してメタルケーブルの周波数特性を変更（調整）することが可能な通信ケーブルモジュールを提供する。
【００３０】
図４を参照して、実施例１の通信ケーブルモジュールの構成について説明する。
通信ケーブルモジュール（アクティブカッパーケーブル３）は、周波数特性可変線形アンプ５、メタルケーブル６、検出回路５００、制御回路１４及びテーブル１５を有する。
【００３１】
周波数特性可変線形アンプ５は、メタルケーブル６の出力信号を増幅してメタルケーブル６の伝送損失を補償し、メタルケーブル６の周波数特性を可変に調整可能に構成されている。
【００３２】
検出回路５００は、周波数特性可変線形アンプ５に並列に接続され、周波数特性可変線形アンプ５への入力信号のパワーを検出する。
【００３３】
検出回路５００で伝送方式を判定する原理について説明する。ここでは、図３Ａ〜図３Ｃを用いてＮＲＺとＰＡＭ４、ＰＡＭ８の判別方法を説明する。
【００３４】
入力信号のピークパワーはＮＲＺのときは１レベル、ＰＡＭ４は３（１１）レベル、ＰＡＭ８は７（１１１）で同じ値となる。一方、平均パワーに関しては、ＮＲＺの平均パワーを１とすると、ＰＡＭ４は０レベルと３レベルの間に２つ（１レベルと２レベル）の信号レベルを持ち、ＰＡＭ８は０レベルと７レベルの間に６つ（１レベルから６レベル）の信号レベルを持つ。
【００３５】
そのため、ＰＡＭ４とＰＡＭ８の平均パワーはＮＲＺに比べて、それぞれ０．５６倍および０．４３倍になる。このように、多値信号は最大信号レベルと最小信号レベルの間に複数の信号レベルを有するため、平均パワーが減少する。
【００３６】
これを利用し、ピークパワーと平均パワーのパワー比（Ｐｅａｋ  ｔｏ  Ａｖｅｒａｇｅ  Ｐｏｗｅｒ  Ｒａｔｉｏ、以下、「ＰＡＰＲ」と言う）を測定することで、伝送方式を判定することができる。
【００３７】
ＰＡＭ４とＰＡＭ８のＰＡＰＲはそれぞれ２．５ｄＢ、３．７ｄＢであるため、図５に示すテーブル１５に、ＰＡＰＲに応じた周波数特性可変線形アンプ５の設定値を複数用意しておく。
【００３８】
制御回路１４は、検出回路５００の検出結果を判定する。制御回路１４は、検出回路５００の検出結果に応じてテーブル１５に格納された設定値を読み出し、設定値に基づいて周波数特性可変線形アンプ５の周波数特性に関する設定を変更する。
【００３９】
テーブル１５は、ＰＡＰＲに応じて、周波数特性に関する設定値を複数格納する。具体的には、テーブル１５は、ＰＡＰＲに応じて、設定値として２値伝送用設定値と４値伝送用設定値と８値伝送用設定値を格納する。
【００４０】
図５に示すように、テーブル１５には、ＰＡＰＲが２．５ｄＢ以下の場合に、２値伝送用（ＮＲＺ用）の設定値が格納されている。また、ＰＡＰＲが２．５ｄＢより大きくかつ３．７ｄＢ以下の場合に、４値伝送用（ＰＡＭ４用）の設定値が格納されている。ＰＡＰＲが３．７ｄＢより大きい場合に、８値伝送用（ＰＡＭ８用）の設定値が格納されている。
【００４１】
制御回路１４は、検出回路５００の検出結果からＰＡＰＲを算出する。さらに、制御回路１４は、テーブル１５から周波数特性可変線形アンプ５の設定値を読み込み、周波数特性可変線形アンプ５に設定値を書き込む。
【００４２】
図７のフローチャートを参照して、実施例１の通信ケーブルモジュールの動作について説明する。
まず、入力信号が検出回路５００に入力される（Ｓ７０１）。制御回路１４で平均パワーとピークパワーのパワー比（ＰＡＰＲ）を算出する（Ｓ７０２）。
【００４３】
次に、制御回路１４は、ＰＡＰＲの算出結果に応じて、テーブル１５から周波数特性可変線形アンプ５の設定値を読み込む（Ｓ７０３）。
次に、読み込んだ設定値を周波数特性可変線形アンプ５に書き込んで、周波数特性可変線形アンプ５の設定を変更する（Ｓ７０４）。
【００４４】
図６のフローチャートを参照して、実施例１の通信ケーブルモジュールの動作をより詳細に説明する。
制御回路１４は、ＰＡＰＲを算出する（Ｓ６０１）。そして、制御回路１４は、ＰＡＰＲが２．５ｄＢよりも大きいかを判定する（Ｓ６０２）。
【００４５】
ＰＡＰＲが２．５ｄＢ以下の場合に、２値伝送用（ＮＲＺ用）の設定値をテーブル５から読み出し（Ｓ６０３）、２値伝送用（ＮＲＺ用）の設定値に基づいて周波数特性可変線形アンプ５の周波数特性に関する設定を変更する（Ｓ６０４）。
【００４６】
ＰＡＰＲが２．５ｄＢよりも大きい場合には、ＰＡＰＲが３．７ｄＢより大きいかを判定する（Ｓ６０５）。
【００４７】
ＰＡＰＲが２．５ｄＢよりも大きくかつ３．７ｄＢ以下の場合に、４値伝送用（ＰＡＭ４用）の設定値をテーブル５から読み出し（Ｓ６０６）、４値伝送用（ＰＡＭ４用）の設定値に基づいて周波数特性可変線形アンプ５の周波数特性に関する設定を変更する（Ｓ６０４）。
【００４８】
ＰＡＰＲが３．７ｄＢより大きい場合には、８値伝送用（ＰＡＭ８用）の設定値をテーブル５から読み出し（Ｓ６０７）、８値伝送用（ＰＡＭ８用）の設定値に基づいて周波数特性可変線形アンプ５の周波数特性に関する設定を変更する（Ｓ６０４）。
【００４９】
実施例１によれば、周波数特性可変線形アンプ５に入力された伝送方式を検出し、その検出結果に応じて周波数特性可変線形アンプ５の周波数特性を調整できる。つまり、ＰＡＰＲの検出結果に応じて周波数特性可変線形アンプ５の設定を変更することで、伝送方式に応じて周波数特性可変線形アンプ５の周波数特性を変更することができる。このように、周波数特性可変線形アンプ５の設定を変更することで、複数の伝送方式に応じて信号品質劣化を防ぐことができる。
【実施例２】
【００５０】
図８を参照して、実施例２の通信ケーブルモジュールの構成について説明する。
実施例２の通信ケーブルモジュールは、実施例１の通信ケーブルモジュールの検出回路５００を平均パワー検出回路１２とピークパワー検出回路１３で構成した。
【００５１】
また、実施例２では、図９、図１０に示すように、周波数特性可変線形アンプ５の設定変更後も平均パワーをモニタし、その結果に応じて周波数特性可変線形アンプ５の設定を繰り返し変更可能にした。
【００５２】
図８に示すように、実施例２の通信ケーブルモジュールは、周波数特性可変線形アンプ５、メタルケーブル６、平均パワー検出回路１２、ピークパワー検出回路１３、制御回路１４およびテーブル１５を有する。テーブル１５には、ＰＡＰＲの値に応じた周波数特性可変線形アンプ５の設定値が複数格納されている。
【００５３】
また、制御回路１４は平均パワー検出回路１２とピークパワー検出回路１３の出力と接続されており、これらの検出結果からＰＡＰＲを算出する。また、制御回路１４は、テーブル１５から周波数特性可変線形アンプ５の設定値を読み込み、周波数特性可変線形アンプ５に設定値を書き込む。これにより、メタルケーブル３に入力された伝送方式を検出し、その結果に応じて周波数特性を調整することができる。その他の構成は、実施例１の通信ケーブルモジュールと同じなのでその詳細な説明は省略する。
【００５４】
次に、図９、図１０のフローチャートを参照して、実施例２の通信ケーブルモジュールの動作について説明する。
図９に示すように、入力信号が平均パワー検出回路１２とピークパワー検出回路１３に入力される（Ｓ９０１）。
【００５５】
次に、平均パワー検出回路１２で周波数特性可変線形アンプ５の入力における平均パワー検出する（Ｓ９０２）。さらに、ピークパワー検出回路１３で、周波数特性可変線形アンプ５の入力におけるピークパワーを検出する（Ｓ９０３）。
次に、制御回路１４で平均パワーとピークパワーの検出結果を用いてＰＡＰＲを算出する（Ｓ９０４）。
次に、制御回路１４でＰＡＰＲの算出結果に応じて、テーブル１５から周波数特性可変線形アンプ５の設定値を読み込む（Ｓ９０５）。
【００５６】
例えば、図１０に示すように、情報装置に存在する伝送方式がＮＲＺとＰＡＭ４の場合、ＰＡＰＲが２．５ｄＢよりも大きいかを判定する（Ｓ１０００）。そして、ＰＡＰＲが２．５ｄＢ以下の場合はＮＲＺ用の設定値をテーブル１５から読み込む（Ｓ１０１０）。ＰＡＰＲが２．５ｄＢより大きい場合にはＰＡＭ４用の設定値をテーブル１５から読み込む（Ｓ１０２０）。
【００５７】
次に、読み込んだ設定値を周波数特性可変線形アンプ５に書き込んで、周波数特性可変線形アンプ５の周波数特性に関する設定を変更する（Ｓ９０６）。
次に、平均パワー検出回路１２の検出結果（すなわち、平均パワー）がゼロになるまでは、周波数特性可変線形アンプ５の設定は保持しておき、平均パワーがゼロになったときに再度上記フロー（Ｓ９０１〜Ｓ９０６）を繰り返す（Ｓ９０７）。
【００５８】
実施例２では、図９、図１０に示すように、図２のＨｏｓｔ  ＩＣ９がリセットされたときにメタルケーブル６の伝送方式を再度検出可能である。メタルケーブル６の伝送方式検出と周波数特性可変線形アンプ５の設定変更がＨｏｓｔ  ＩＣ９のリセット時以外、例えば前記Ｈｏｓｔ  ＩＣ９の動作（通信）中に行われた場合、Ｈｏｓｔ  ＩＣ９がエラーを起こしてしまい、情報装置が再起動される恐れがある。
【００５９】
そのため、Ｈｏｓｔ  ＩＣ９の動作中には周波数特性可変線形アンプ５の設定を変更しないようにする必要がある。そこで、実施例２では、伝送方式の再検出の判定基準として、平均パワー検出回路１２の検出結果を用いる。
【００６０】
このため、実施例２では、Ｓ９０７に示すように、平均パワー検出回路１２の検出結果（すなわち平均パワー）がゼロになるまでは、周波数特性可変線形アンプ５の設定は保持しておき、平均パワーがゼロになったときに再度上記フロー（Ｓ９０１〜Ｓ９０６）を繰り返すようにした。
【００６１】
これより、一度周波数特性可変線形アンプ５に設定を書き込んだ後、図３のＨｏｓｔ  ＩＣ９の動作中に周波数特性可変線形アンプ５の設定が変わることを防ぐことができる。また、平均パワーがゼロ、つまりＨｏｓｔ  ＩＣ９にリセットがかかったときには、伝送方式の検出を再度行うことができる。
【００６２】
このように、実施例２によれば、周波数特性可変線形アンプ５に入力された伝送方式を検出し、その検出結果に応じて周波数特性可変線形アンプ５の周波数特性を調整することができる。さらに、Ｈｏｓｔ  ＩＣ９にリセットがかかったときには再度伝送方式を検出できる。
【実施例３】
【００６３】
図１１を参照して、実施例３の通信ケーブルモジュールの構成について説明する。
図１１に示すように、実施例３の通信ケーブルモジュールは、周波数特性可変線形アンプ５、メタルケーブル６、平均パワー検出回路１２、ピークパワー検出回路１３、制御回路１４及びテーブル１５を有する。
【００６４】
ここで、平均パワー検出回路１２は、符号反転回路１６、乗算回路１７、ローパスフィルタ（ＬＰＦ）１８及びアナログデジタルコンバータ（ＡＤＣ）１９で構成される。また、ピークパワー検出回路１３は、ローパスフィルタ（ＬＰＦ）２０及びアナログデジタルコンバータ（ＡＤＣ）２１で構成される。
【００６５】
周波数特性可変線形アンプ５は、メタルケーブル６の伝送損失が大きい場合、１つの線形アンプでは伝送損失の補償量が小さくなる可能性がある。このため、周波数特性可変線形アンプ５は、設定可変な複数のアンプ２２〜２５で構成されている。ここで、設定可変なアンプの段数は４個以上でも良い。
【００６６】
平均パワー検出回路１２の動作は以下の通りである。一般に、高速信号伝送は差動信号が使用されるため、一方の信号の符号が正のとき、他方の信号の符号は負となる。そのため、正と負の異なる符号を持つ信号を乗算回路１７に入力すると、その出力結果は負の値になる。そこで、差動信号の一方は符号反転回路１６に入力し、符号を反転させて乗算回路１７に入力する。
【００６７】
これにより、入力信号の掛け算が行われ、その出力をローパスフィルタ１８で低周波信号のみを通過させることで、入力信号の平均パワーを出力することができる。さらに、アナログデジタルコンバータ１９を通過させることで、平均パワーの出力結果をデジタルデータに変換する。
【００６８】
また、ピークパワー検出回路１３の動作は以下の通りである。入力された差動信号はローパスフィルタ２０によって入力信号の低周波成分のみを通過させる。メタルケーブル６によって入力信号の高周波成分は減衰しているため、低周波成分のみを通過させることでピークパワーを検出することができる。さらにアナログデジタルコンバータ２１を通過させることで、平均パワーの出力結果をデジタルデータに変換する。
【００６９】
平均パワー検出回路１２とピークパワー検出回路１３は、制御回路１４に接続されている。制御回路１４は、ピークパワー検出回路１３は制御回路１４の検出結果からＰＡＰＲを算出する。また、制御回路１４は、テーブル１５から周波数特性可変線形アンプ５の設定値を読み込み、周波数特性可変線形アンプ５に設定値を書き込む。その他の構成は、実施例２の通信ケーブルモジュールと同じなのでその詳細な説明は省略する。
【００７０】
次に、図１２のフローチャートを参照して、実施例３の通信ケーブルモジュールの動作について説明する。
まず、入力信号が平均パワー検出回路１２とピークパワー検出回路１３に入力される（Ｓ１２０１）。
【００７１】
平均パワー検出回路１２では、まず符号反転回路１６で差動信号の一方の符号が反転される（Ｓ１２０２）。そして、乗算回路１７で２つの入力信号の乗算を行う（Ｓ１２０３）。
【００７２】
その乗算結果をローパスフィルタ１８に入力し、乗算結果の低周波成分のみを通過させる（Ｓ１２０４）。そして、ローパスフィルタ１８の出力を、アナログデジタルコンバータ１９でデジタル信号に変換する（Ｓ１２０５）。
【００７３】
ピークパワー検出回路１３では、ローパスフィルタ２０で入力信号の低周波成分のみを通過させる（Ｓ１２０６）。そして、アナログデジタルコンバータ２１でデジタル信号に変換する（Ｓ１２０７）。
【００７４】
次に、平均パワー検出回路１２とピークパワー検出回路１３で検出した信号を制御回路１４に入力する（Ｓ１２０８）。制御回路１４に入力された信号から、ピークパワーと平均パワーの比（ＰＡＰＲ）を算出する（Ｓ１２０９）。
ＰＡＰＲの結果に応じてテーブル１５から周波数特性可変線形アンプ５の設定値を読み込む（Ｓ１２１０）。
【００７５】
次に、読み込んだ設定値を周波数特性可変線形アンプ５に書き込んで、周波数特性可変線形アンプ５の周波数特性に関する設定を変更する（Ｓ１２１１）。
【００７６】
ここで、前記平均パワー検出回路１２の検出結果（すなわち平均パワー）がゼロになるまでは、周波数特性可変線形アンプ５の設定は保持しておき、平均パワーがゼロになったときに再度上記フロー（Ｓ１２０１〜Ｓ１２１１）を繰り返す（Ｓ１２１２）。
【００７７】
これにより、一度周波数特性可変線形アンプ５に設定を書き込んだ後、つまり図２のＨｏｓｔ  ＩＣ９の動作中に前記周波数特性可変線形アンプ５の設定変更を防ぐことが可能になる。また、平均パワーがゼロ、つまりＨｏｓｔ  ＩＣ９にリセットがかかったときには、伝送方式の検出を再度行うことができる。
【００７８】
実施例３によれば、周波数特性可変線形アンプ５に入力された伝送方式を検出し、その検出結果に応じて周波数特性可変線形アンプ５の周波数特性を調整できる。
【実施例４】
【００７９】
図１３を参照して、実施例４の通信ケーブルモジュールの構成ついて説明する。
実施例４は、図８に示す実施例２の変形例であり、実施例２とはテーブル１５からの設定値の読み込みの動作フローが異なる。その他の構成は、実施例２の通信ケーブルモジュールと同じなのでその詳細な説明は省略する。
【００８０】
図１３のフローチャートを参照して、実施例４の通信ケーブルモジュールの動作について説明する。
まず、入力信号が平均パワー検出回路１２とピークパワー検出回路１３に入力される（Ｓ１３０１）。
【００８１】
次に、平均パワー検出回路１２で周波数特性可変線形アンプ５の入力における平均パワー検出する（Ｓ１３０２）。さらに、ピークパワー検出回路１３で、周波数特性可変線形アンプ５の入力におけるピークパワーを検出する（Ｓ１３０３）。
次に、制御回路１４で平均パワーとピークパワーの検出結果を用いてＰＡＰＲを算出する（Ｓ１３０４）。
制御回路１４は、ＰＡＰＲが２．５ｄＢよりも大きいかを判定する（Ｓ１３０５）。
【００８２】
ＰＡＰＲが２．５ｄＢ以下の場合に、２値伝送用（ＮＲＺ用）の設定値をテーブル５から読み出し（Ｓ１３０６）、２値伝送用（ＮＲＺ用）の設定値に基づいて周波数特性可変線形アンプ５の周波数特性に関する設定を変更する（Ｓ１３０７）。
【００８３】
ＰＡＰＲが２．５ｄＢよりも大きい場合には、ＰＡＰＲが３．７ｄＢより大きいかを判定する（Ｓ１３０８）。
【００８４】
ＰＡＰＲが２．５ｄＢよりも大きくかつ３．７ｄＢ以下の場合に、４値伝送用（ＰＡＭ４用）の設定値をテーブル５から読み出し（Ｓ１３０９）、４値伝送用（ＰＡＭ４用）の設定値に基づいて周波数特性可変線形アンプ５の周波数特性に関する設定を変更する（Ｓ１３０７）。
【００８５】
ＰＡＰＲが３．７ｄＢより大きい場合には、８値伝送用（ＰＡＭ８用）の設定値をテーブル５から読み出し（Ｓ１３１０）、８値伝送用（ＰＡＭ８用）の設定値に基づいて周波数特性可変線形アンプ５の周波数特性に関する設定を変更する（Ｓ１３０７）。
【００８６】
次に、平均パワー検出回路１２の検出結果（すなわち、平均パワー）がゼロになるまでは、周波数特性可変線形アンプ５の設定は保持しておき、平均パワーがゼロになったときに再度上記フロー（Ｓ１３０１〜Ｓ１３０７）を繰り返す（Ｓ１３１１）。
【００８７】
平均パワーがゼロになったときに上記フロー（Ｓ１３０１〜Ｓ１３０７）を繰り返す理由は、上述のように、一度周波数特性可変線形アンプ５に設定を書き込んだ後、図３のＨｏｓｔ  ＩＣ９の動作中に周波数特性可変線形アンプ５の設定が変わることを防ぐためである。
【００８８】
実施例４によれば、周波数特性可変線形アンプ５に入力された伝送方式がＮＲＺおよびＰＡＭ４またはＰＡＭ８であるか検出し、伝送方式に応じて周波数特性可変線形アンプ５の周波数特性を調整することができる。
【符号の説明】
【００８９】
３  アクティブカッパーケーブル（通信ケーブルモジュール）
５  周波数特性可変線形アンプ
６  メタルケーブル
１２  平均パワー検出回路
１３  ピークパワー検出回路
１４  制御回路
１５  テーブル
１６  符号反転回路
１７  乗算回路
１８  ローパスフィルタ（ＬＰＦ）
１９  アナログデジタルコンバータ（ＡＤＣ）
２０  ローパスフィルタ（ＬＰＦ）
２１  アナログデジタルコンバータ（ＡＤＣ）
５００  検出回路
【図１】
2019213074.tif 000003
【図２】
2019213074.tif 000004
【図３Ａ】
2019213074.tif 000005
【図３Ｂ】
2019213074.tif 000006
【図３Ｃ】
2019213074.tif 000007
【図４】
2019213074.tif 000008
【図５】
2019213074.tif 000009
【図６】
2019213074.tif 000010
【図７】
2019213074.tif 000011
【図８】
2019213074.tif 000012
【図９】
2019213074.tif 000013
【図１０】
2019213074.tif 000014
【図１１】
2019213074.tif 000015
【図１２】
2019213074.tif 000016
【図１３】
2019213074.tif 000017